(57)【特許請求の範囲】
【請求項１】
周回する誘導コイルの内側を通過する金属板を誘導加熱する装置であって、金属板の表面側と裏面側の誘導コイルを構成する導体を、それぞれ該金属板へ垂直投影した際の垂直投影像において、表面側と裏面側の該導体が、金属板の長手方向に対して互いにずれるように該導体を配置するとともに、金属板の表面側と裏面側の少なくともどちらかの該導体の端部が、少なくとも片方の端部において、金属板の板幅方向に対して斜めに横切るように、該導体を配置し、且つ、該導体のずらし量を前記斜めに横切る導体の端部も含めて変更する手段を有し、前記導体のずらし量を変更する手段が、前記表面側と裏面側の導体をそれぞれ板幅方向に対して、中央部と２つの端部に分けるとともに、該２つの端部の各々の導体を板幅方向に複数配置し、該複数の端部の導体と該中央部の導体との接触の有無を調整することで、誘導コイル電流が流れる端部の導体の位置と数を制御する手段であることを特徴とする金属板の誘導加熱装置。
【請求項２】
前記中央部の導体を金属板の長手方向に複数配置し、該複数の中央部の導体と前記複数の端部の導体との接触の有無を調整することで、誘導コイル電流が流れる中央部の導体の位置と数を制御することを特徴とする請求項１記載の金属板の誘導加熱装置。
【請求項３】
前記導体のずれ幅が、板幅方向の中央部よりも板幅方向の両端部において小さくなるように、該導体を配置することを特徴とする請求項１または２に記載の金属板の誘導加熱装置。
【請求項４】
前記導体のずれ幅が板幅方向の中央部において最も大きくなるように、該導体を配置することを特徴とする請求項１または２に記載の金属板の誘導加熱装置。
【請求項５】
請求項１〜４のいずれか１項に記載の金属板の誘導加熱装置を、ガス燃焼若しくは電気ヒーターによる輻射炉、又は、ガス直火炎炉の、炉内又は炉外に設置したことを特徴とする金属板の誘導加熱装置。
【請求項６】
請求項１〜４のいずれか１項に記載の金属板の誘導加熱装置の前に、ＬＦ式誘導加熱装置を配置したことを特徴とする金属板の誘導加熱装置。
【請求項７】
請求項１〜４のいずれか１項に記載の金属板の誘導加熱装置の前に、ＬＦ式誘導加熱装置を配置し、更に、両装置の誘導コイルを直列に接続したことを特徴とする金属板の誘導加熱装置。
【請求項８】
請求項１〜７のいずれか１項に記載の金属板の誘導加熱装置を用いて、ずらした誘導コイルの金属板の両端部に向かう導体の幅、金属板の端部を横切る位置の少なくともいずれかを調整することにより、金属板端部を流れる電流密度、加熱時間を制御し、金属板端部の温度分布を制御することを特徴とする金属板の誘導加熱方法。
【請求項９】
請求項１〜７のいずれか１項に記載の金属板の誘導加熱装置を用いて、非磁性の金属板、又は、磁性材におけるキュリー点以上の温度での非磁性域で金属板を加熱することを特徴とする金属板の誘導加熱方法。
【請求項１０】
磁性材の金属板を、ＬＦ式誘導加熱装置を用いて、キュリー点未満の温度で磁性域を加熱した後、請求項１〜４、６、７のいずれか１項に記載の金属板の誘導加熱装置を用いて、キュリー点以上の温度で非磁性域を加熱することを特徴とする金属板の誘導加熱方法。
【発明の詳細な説明】
【技術分野】
【０００１】
本発明は、鉄やアルミなどの鉄及び非鉄金属板の誘導加熱装置及び誘導加熱方法に関する。特に、金属板が薄板、厚板にかかわらず、磁性、非磁性を問わず、効率よく加熱する誘導加熱装置及び誘導加熱方法に関する。
【背景技術】
【０００２】
金属の高周波電流による誘導加熱は、焼き入れをはじめとして熱処理をするために広く使われている。鋼板やアルミ板などの鉄、非鉄の薄板も製造過程で材質を制御する目的で、加熱速度をあげて、生産性の向上や、生産量を自在に調整する目的などで、従来のガス加熱や電気加熱による間接加熱に代わる加熱方式として使用されてきている。
【０００３】
金属板を誘導加熱する場合には、大きく２つの方式がある。１つは、金属板の周囲を囲んだ誘導コイルに高周波電流を流し、発生した磁束が金属板の長手方向を貫通し、金属板の断面内に誘導電流を発生させ加熱するいわゆるＬＦ（縦断磁束加熱）方式と呼ばれる誘導加熱方式と、金属板を１次コイルの巻かれたインダクターと呼ばれる良磁性体の間に配置し、１次コイルに電流を通じ発生させた磁束をインダクターに通すことにより、インダクター間を流れる磁束を金属板が横切る様に通過することにより、金属板の平面に誘導電流が発生し誘導加熱するＴＦ（横断加熱方式）方式である。
【０００４】
ＬＦ方式の誘導加熱は、温度分布の均一性が良いものの、発生する誘導電流は板断面内を循環するが、電流浸透深さの関係から、板厚が薄い場合には電源の周波数を高くしなければ誘導電流が発生せず、更に、非磁性材又は磁性材でも、キュリー点温度を超えたものは、電流の浸透深さが深くなるため、板厚の薄いものは加熱ができないという課題がある。
【０００５】
一方、ＴＦ方式の誘導加熱は、磁束が金属板の平面を貫通するため、板厚や磁性、非磁性の区別無く加熱できるという特徴や、磁気抵抗の小さいインダクターを用いることにより漏れ磁束を少なくでき、金属板の表裏に対抗するインダクター間に磁束を集中させることができるため、加熱効率が高いという特徴がある。
【０００６】
その反面、温度分布の不均一が生じやすいという問題や、金属板が対向するインダクターの中心にない場合、磁性材では、どちらかのインダクターに吸引され、より温度偏差がつきやすくなるという問題がある。
【０００７】
更に、ＴＦ方式の誘導加熱の場合、金属板の板幅変更や連続通板ラインでは、蛇行した場合の対応が難しいという欠点がある。
【０００８】
これらの課題を解決するため、特許文献１では、帯板の進行方向の表面、裏面のシングルターンのコイルをずらして配置することが開示されている。
【０００９】
また、特許文献２では、被加熱材に面する誘導加熱コイルが長軸が湾曲するような菱形形状の誘導コイルが提案されている。
【００１０】
【特許文献１】特開２００２−４３０４２号公報
【特許文献２】特開２００２−１５１２４５号公報
【発明の開示】
【発明が解決しようとする課題】
【００１１】
図１は、従来のＬＦ方式の誘導加熱を示す模式図である。被加熱材である金属板１の周囲を高周波電源３に接続された誘導コイル２で囲み、１次電流５を通じることにより、金属板１の内部を磁束４が貫通し、磁束４の周りに誘導電流が発生し、発生した誘導電流により、金属板１を加熱する。図２は、誘導電流が金属板１の断面内に発生する様子を示す断面模式図を示す。
【００１２】
金属板１を貫通する磁束４により、金属板１の断面には、誘導コイル２に流れる１次電流５と逆向きの方向に誘導電流６が流れる。この誘導電流６は、金属板１の表面から１式で示される電流浸透深さδの範囲に集中して流れる。
δ［ｍｍ］＝５．０３×１０５（ρ／μｒｆ）０．５            ・・・  １式
ここで、ρ：比抵抗［Ωｍ］、μｒ：比透磁率［−］、ｆ：加熱周波数［Ｈｚ］
【００１３】
発生した誘導電流６は、図２に示すように、板断面の表裏で逆向きに流れるため、電流浸透深さδが深くなると、板表裏の誘導電流が互いに打ち消し合う結果、板断面内を電流が流れなくなってしまう。
【００１４】
金属は、温度の上昇に伴いρが上昇するため、δは温度上昇とともに深くなる。また、強磁性や常磁性の磁性材は、温度が上昇しキュリー点に近づくにつれμｒが減少し、キュリー点を超えるとμｒは１になる。
【００１５】
また、非磁性材もμｒは１である。μｒが小さくなると、１式より、非磁性材又は磁性材の場合は、キュリー点直前からキュリー点を超える温度域では、電流浸透深さδが深くなり、薄い板厚の被加熱材では加熱ができなくなってしまう。
【００１６】
例えば、加熱周波数が１０［ＫＨｚ］の場合、常温で各種金属の電流浸透深さδは、非磁性のアルミで約１［ｍｍ］、ＳＵＳ３０４で約４．４［ｍｍ］、磁性材の鋼では約０．２［ｍｍ］であるのに対し、磁性材である鋼が、キュリー点を超えた７５０℃では、電流浸透深さδは約５［ｍｍ］となる。
【００１７】
板内に発生する表裏電流が打ち消し合わないためには、板厚は、最低でも１０［ｍｍ］以上必要であり、効率よくパワーを入れるためには、１５［ｍｍ］程度の厚みが必要になる。
【００１８】
一般に、熱処理は、１０数μｍの箔のような薄板から１００ｍｍを超えるような厚板まで様々な厚みのものを対象としている。
【００１９】
例えば、使用量の多い金属板の代表的な素材である自動車や家電品に使用される鋼板は、通常、冷間圧延の済んだ３［ｍｍ］前後より薄い板厚が多く、特に、２［ｍｍ］以下の場合が多い。これらの材料をＬＦ式で加熱するためには、加熱周波数を、数１００［ＫＨｚ］以上に上げる必要があるが、大容量で高い周波数の電源製作などにハード上の限界があり、工業規模で実現することは困難な場合が多い。
【００２０】
特許文献１の方法は、板の上下に誘導コイルを配置した１種のＴＦ方式と考えられ、金属板の進行方向で発生する磁束は交互に逆向きに発生するが、上下コイルがずれているため、上下コイルで発生する磁束が打ち消し合う領域と、磁束が帯板を斜めに横切る領域が交互にでき、磁束が集中するのを防ぐことが可能になっていると考えられる。
【００２１】
そのため、従来のＴＦ方式ではエッジ部に磁束が集中し、エッジが過加熱するという問題を緩和する効果が発現すると考えられるが、磁束が打ち消し合う領域ができること、シングルターンであるため、帯板にパワーを入れ電界強度を上げるためには、コイルへ流す電流値を大きくしなければならず、コイルの銅損が増えることなどのため、効率が低下しやすいという問題がある。
【００２２】
効率を上げるためには、特許文献１の実施例で開示されているように、上下のシングルターンコイルを帯板に近接させる必要があるが、通板している帯板は、形状が変形していたり振動したりするため、広幅で長い区間を通板しながら加熱するには困難がある。
【００２３】
また、特許文献２の方法は、金属の面と対向するように金属の搬送方向おいて、幅方向中央で最も広がった誘導加熱コイルを備え、金属材料の搬送方向に沿ったコイル幅の合計を、実質的に均一とする方法であるが、この方法は、金属材に向かい合わせた誘導コイルからの漏れ磁束により加熱を行う方法となるため、誘導コイルとの距離が離れると磁束が金属を貫通する保証はなく、金属と近接させないと加熱が起きにくく、また、金属の形状が悪く誘導コイルとの距離が変化する場合には大きな温度偏差が生じる。
【００２４】
また、誘導コイルの幅を進行方向で実質同じ幅になるように菱形形状のコイルとしているが、この形状では板幅が変化したときには対応がつかない。回転機構を設けるようにしているが、回転させた場合には、進行方向で加熱時間が同じにはならないため、均一温度にはなり難いし、工業規模で大電流を流す加熱装置の回転機構を実現するのは、極めて困難が伴う。
【００２５】
両特許文献とも、誘導コイルが金属を囲んだ閉ループ内の加熱ではないため、磁束が確実に金属を貫通する保証は無く、誘導コイルとの距離の影響を受け易いとともに、誘導コイルのターン数を変えられないため、磁界の強度を制御することが難しい。金属材料が巻き数Ｎの一次コイルで囲まれている場合、金属材料には一次電流のＮ倍の電流が流れるが、特許文献２では、５巻きにした例が示されているものの、これは、実質誘導コイルの幅を変えているだけで、巻き数に応じた誘導電流が金属に発生するわけではない。そのため、金属材料に大電流を流すためには、一次電流に大電流を流さなければならず、一次コイルでの発熱損失が大きくなるという問題がある。
【００２６】
本発明は、これら従来のＬＦ方式やＴＦ方式が抱える金属板の誘導加熱の課題を解決するもので、誘導コイルを用いて、磁性材に限らず非磁性材や非磁性域においても、また、板厚が１０ｍｍ以下の金属板でもまた１００ｍｍを超えるような厚板においても、金属板と誘導コイルとのギャップを十分に保ちながら、温度を自在に制御できる温度制御性に優れるとともに、幅変更や蛇行などにも対応が可能で、効率よく加熱できる誘導加熱装置、及び、誘導加熱方法を提供する。
【課題を解決するための手段】
【００２７】
本発明の要旨は下記の通りである。
【００２８】
（１）周回する誘導コイルの内側を通過する金属板を誘導加熱する装置であって、金属板の表面側と裏面側の誘導コイルを構成する導体を、それぞれ該金属板へ垂直投影した際の垂直投影像において、表面側と裏面側の該導体が、金属板の長手方向に対して互いにずれるように該導体を配置するとともに、金属板の表面側と裏面側の少なくともどちらかの該導体の端部が、少なくとも片方の端部において、金属板の板幅方向に対して斜めに横切るように、該導体を配置し、且つ、該導体のずらし量を前記斜めに横切る導体の端部も含めて変更する手段を有し、前記導体のずらし量を変更する手段が、前記表面側と裏面側の導体をそれぞれ板幅方向に対して、中央部と２つの端部に分けるとともに、該２つの端部の各々の導体を板幅方向に複数配置し、該複数の端部の導体と該中央部の導体との接触の有無を調整することで、誘導コイル電流が流れる端部の導体の位置と数を制御する手段であることを特徴とする金属板の誘導加熱装置。
【００３１】
（２）前記中央部の導体を金属板の長手方向に複数配置し、該複数の中央部の導体と前記複数の端部の導体との接触の有無を調整することで、誘導コイル電流が流れる中央部の導体の位置と数を制御することを特徴とする上記（１）記載の金属板の誘導加熱装置。
【００３２】
（３）前記導体のずれ幅が板幅方向の中央部よりも板幅方向の両端部において小さくなるように、該導体を配置することを特徴とする上記（１）または（２）に記載の金属板の誘導加熱装置。
【００３３】
（４）前記導体のずれ幅が板幅方向の中央部において最も大きくなるように、該導体を配置することを特徴とする上記（１）または（２）に記載の金属板の誘導加熱装置。
【００３９】
（５）上記（１）〜（４）のいずれかに記載の金属板の誘導加熱装置を、ガス燃焼若しくは電気ヒーターによる輻射炉、又は、ガス直火炎炉の、炉内又は炉外に設置したことを特徴とする金属板の誘導加熱装置。
【００４０】
（６）上記（１）〜（４）のいずれかに記載の金属板の誘導加熱装置の前に、ＬＦ式誘導加熱装置を配置したことを特徴とする金属板の誘導加熱装置。
【００４１】
（７）上記（１）〜（４）のいずれかに記載の金属板の誘導加熱装置の前に、ＬＦ式誘導加熱装置を配置し、更に、両装置の誘導コイルを直列に接続したことを特徴とする金属板の誘導加熱装置。
【００４２】
（８）上記（１）〜（７）のいずれかに記載の金属板の誘導加熱装置を用いて、ずらした誘導コイルの金属板の両端部に向かう導体の幅、金属板の端部を横切る位置の少なくともいずれかを調整することにより、金属板端部を流れる電流密度、加熱時間を制御し、金属板端部の温度分布を制御することを特徴とする金属板の誘導加熱方法。
【００４３】
（９）上記（１）〜（７）のいずれかに記載の金属板の誘導加熱装置を用いて、非磁性域で金属板を加熱することを特徴とする金属板の誘導加熱方法。
【００４４】
（１０）磁性材の金属板を、ＬＦ式誘導加熱装置を用いて、キュリー点未満の温度で磁性域を加熱した後、（１）〜（４）、（６）、（７）のいずれかに記載の金属板の誘導加熱装置を用いて、キュリー点以上の温度で非磁性域を加熱することを特徴とする金属板の誘導加熱方法。
【００４５】
本発明でいう「金属板の長手方向」とは、金属板の通過方向（搬送ラインと同一方向）のことである。
【００４６】
本発明でいう「ＬＦ方式」とは、非加熱物の軸方向に交番磁界を与える従来のLongitudinal Flux（縦断磁束加熱）方式のことである。本発明でいう「輻射炉」とは輻射加熱により被加熱物を加熱する炉のことで、例えば、鉄鋼製造における予熱炉、加熱炉、及び、均熱炉等を指す。
【発明の効果】
【００４７】
本発明による誘導加熱は、板厚の厚い材料や磁性域の薄板の加熱を可能とするだけではなく、従来の誘導加熱方式では不可能であった比抵抗が小さく非磁性のアルミや銅などの非鉄金属板の加熱、鉄などの磁性材におけるキュリー点以上の温度での、非磁性域における加熱を可能とする。
【００４８】
誘導コイルを構成する導体の位置や幅等を調整した場合には、加熱温度分布も、容易に制御できることから、前工程での温度偏差の解消や後工程での温度特性を考慮した加熱をすることができ、冶金特性の均一化や操業変動の解消も可能となる。
【００４９】
更に、ガス加熱の炉で問題となる熱慣性の影響がないため、板厚変更があっても加熱速度を自在に制御できることから、通板速度を変更する必要もなくなる。そのため、ガス加熱の炉では、通常、板厚変更時に炉が安定するまでの間必要とされる繋ぎ材が不要になるばかりではなく、通板速度を落とすことなく生産を続けられるため、生産性の低下を回避できる。
【００５０】
また、本発明の誘導加熱装置は、板厚の変更に対応できるだけではなく、蛇行などの変動要因にも柔軟に対応し、所望の温度分布が得られるばかりではなく、板幅に応じた誘導コイルのセットを複数持たずに済むことから、設備費も格安にすることが可能となる。
【００５１】
更に、ＬＦコイルと組み合わせた時には、設置スペースをコンパクトにすることができき、かつ、効率の良い加熱ができる。特に、ＬＦコイルと直列に接続した場合には、誘導コイル間の干渉の危険もなくなり余分なスペースが不要となり、磁性域から非磁性域まで、安定して、効率よく加熱することができるなど、従来の熱処理炉では実現不可能であった加熱制御により、広範囲の金属、サイズの熱処理に自在に対応できるようになるという優れた効果を奏する。
【発明を実施するための最良の形態】
【００５２】
以下、本発明の実施の形態について、説明を簡単にするため１Ｔ（ターン）の場合について図面を用いて説明するが、１Ｔに限定されるものでは無い。
【００５３】
図３は、本発明の誘導加熱装置の１例を示す平面模式図であり、図４は、その断面の模式図である。以下の本発明の説明で用いる誘導コイルとは、電気に対する導体で構成されるパイプや線材、板などで被加熱材を１周以上巻いた、導体により形成されるコイルの総称であり、被加熱材を囲む形状は、矩形でも円形でも特に規定するものではない。導体の材質は、銅やアルミ等の電気伝導良好な材質が好ましい。
【００５４】
本発明では、先ず、誘導コイルの内側を通過する金属板の表面側と裏面側の誘導コイルを構成する導体を、それぞれ該金属板へ垂直投影した際に、表面側と裏面側の該導体の垂直投影像が、金属板の長手方向に対して互いにずれるように該導体を配置する。
【００５５】
即ち、図３右側のように、金属板１と面する板幅方向に向かう誘導コイル２を構成する導体２ａ及び２ｂを、金属板１を挟んで金属板の長手方向でずらして配置する。
【００５６】
更に、本発明においては、上記垂直投影像において、表面側と裏面側の導体が、金属板の表面側と裏面側の少なくともどちらかの該導体の端部を、少なくとも片方の端部において板幅方向に対して斜めに横切るように、該導体を配置する。ここで言う、導体の端部とは、金属板の板幅方向における端部（板エッジとも言う）のことで、導体中央部を挟んで、２つの端部をもつ。
【００５７】
例えば、図１０の例では、表面側の導体の片方の端部のみが、板幅方向に対して斜めに横切るように配置されている。図３の例では、表面側と裏面側の両方の導体が、それぞれの導体の片方の端部において、板幅方向に対して斜めを横切るように配置されている。
【００５８】
また、本発明に係る実施形態としては、該ずれ幅が板幅方向の中央部よりも板幅方向の両端部において小さくなるように金属板の表面側と裏面側の少なくともどちらか一方の該導体を、金属板の板幅方向端部（板エッジとも言う）に向かって板幅方向に対して斜めに横切るように配置する形態を含むものである。
【００５９】
言い換えると、金属板の表面側と裏面側の誘導コイルを構成する導体を、それぞれ該金属板へ垂直投影した際の垂直投影像において、表面側と裏面側の該導体が、金属板の長手方向に対して互いにずれるように該導体を配置するとともに、金属板の表面側と裏面側の少なくともどちらかの該導体の端部が板幅方向に対して斜めに横切るように、且つ、該ずれ幅が板幅方向の中央部よりも板幅方向の両端部において小さくなるように、該導体を配置する実施形態を含む。例えば、図１２〜１６が、この実施形態に当たる。
【００６０】
また、本発明に係る実施形態としては、前記表面側と裏面側の導体が前記垂直投影像において、ともに、ほぼ同形状で、且つ、金属板の長手方向に対して互いに平行にずれるように配置されている形態を含むものである。例えば、図１７、図１９、図２１が、この実施形態に当たる。
【００６１】
更に、この実施形態は、前記表面側と裏面側の導体が前記垂直投影像において、共に直線状である形態を含むものである。例えば、図２０が、この実施形態に当たる。
【００６２】
ここで、図３では、ずれ幅が板幅方向の中央部よりも板幅方向の左端部において小さくなるように、金属板の表面側の導体２ａと裏面側の導体２ｂを、両方ともに、板エッジに対し斜めに横切る様に配置した場合を示している。
【００６３】
金属板の表裏面側の誘導コイルを構成する導体を、互いに金属板の長手方向に対してずらして配置する理由は２つある。その理由について、図３のＢ−Ｂ’断面を模式化した図６を用いて説明する。
【００６４】
第１の理由は、金属板に面する誘導コイル２の表面側と裏面側の導体２ａ、２ｂを長手方向にずらすことにより、表裏の誘導コイルで発生する磁束の干渉する割合が減り、マクロ的には、右ねじの法則により、図６の金属板の側面図に示す様に（誘導コイルは表面側の導体のみを図示）、金属板表裏面に面する各々の誘導コイルを構成する表裏導体で発生した磁束４が金属板１を斜めに貫通するようになり、その磁束４によって誘導電流のパス１０が、磁束４と直角に板厚斜め方向に広がるためである。
【００６５】
従来のＬＦ式誘導加熱では、金属板の表裏面で誘導コイルを構成する導体により発生する磁束が、金属板を挟んでほぼ対称に発生するため、磁束は、金属板長手方向即ち進行方向成分のみとなり、金属板の断面長手方向を貫通する。従って、金属板の断面に垂直に誘導電流が発生するため、電流浸透深さが深くなると金属板表裏面の電流が干渉しあい、電流が流れなくなる。
【００６６】
金属板の長手方向表裏面で誘導コイルを構成する導体をずらす第２の理由は、上述した誘導電流のパス１０が板の表裏で打ち消し合わない様にするためでる。金属板表裏で発生した誘導電流は、独立したパスを形成することで金属板を循環する誘導電流となり、金属板が非磁性であっても誘導加熱が可能となる。
【００６７】
即ち、図６の表面側の導体２ａを流れる一次電流の向き（紙面に対して垂直で奥へ向かう向き）と反対の向きに金属板１の内部の表面側に誘導電流が流れ、一方、裏面側の導体２ｂにおいても、２ｂを流れる一次電流の向き（図示していないが、紙面に対して垂直で手前へ向かう向き）と反対の向きに金属板１の内部の裏面側表層付近に誘導電流が流れる。この様子を図３の金属板１の中心より右側部分に着目した平面図で示すと、生じる誘導電流は、それぞれの導体２ａ、２ｂの位置に対応して図７のようになる。
【００６８】
尚、導体２ａ、２ｂによって生じた誘導電流（金属板の幅方向で互いに逆向き）は、金属板内部で繋がり、図７に示すような環状の誘導電流が発生する。２ａ、２ｂにより生じる誘導電流同士を結びつける金属板両端部の誘導電流（金属板長手方向）は、主に、金属板側面に面する誘導コイルの導体（導体２ａと導体２ｂを結ぶ側面の導体）を流れる一次電流によって生じる。
【００６９】
このように発生した環状の誘導電流により、金属板はジュール加熱される。環状の誘導電流を金属板１の断面の図６で見ると、導体２ａの一次電流により生じる誘導電流のパス１０（金属板内部の右上）と図示していない導体２ｂの一次電流により生じる誘導電流のパス（図５の金属板内部の左下に生じる）同士を、右上と左下を結ぶように、金属板両端部の誘導電流が流れるものである（図７のＡ−Ａ断面模式図、参照）。
【００７０】
ただし、金属板に面する誘導コイル２の表面側と裏面側の導体を長手方向にずらす量が小さい場合には、従来のＬＦ式誘導加熱に近づき、板厚が薄い非磁性の金属板の場合には、発生する誘導電流密度が低下してくる。
【００７１】
誘導電流が有効に発生するずらし量（ずれ量とも言う）について、電磁場解析により種々の検討を行った結果、金属板と誘導コイルを構成する導体が近い場合には、表側の導体と裏側の導体のずれ量が比較的小さくても、非磁性域でも有効な誘導電流が金属板に発生するが、金属板と導体が離れる場合には、表側の導体と裏側の導体のずれ量を大きくしなければ、有効な誘導電流が金属板に発生させることができないことが判明した。
【００７２】
本発明の誘導加熱を非磁性域で有効に機能させるには、生産現場で実現できる金属板と誘導コイルを構成する導体の間隔を考慮し、以下の範囲で表裏面の導体を互いにずらすことが好ましい。
【００７３】
即ち、金属板の表面側と裏面側の誘導コイルを構成する導体を、それぞれ金属板の通板ラインへ垂直投影した際に、図８（ａ）、（ｂ）に示すように、表面側と裏面側の導体における垂直投影像の重なりが、面積で８０％を越えて金属板の進行方向で互いに重ならないような位置に配置するのが望ましい。
【００７４】
即ち、重なりを０〜８０％とすることで、斜めの磁束４を有効に発現できる。図６では、説明を簡単にするため、磁束が大きな角度を持って被加熱材を貫通する様に示したが、実際には、表裏誘導コイルによって発生する誘導電流は、表裏誘導コイルとのリアクタンスが小さくなるように、誘導コイルに近づいて発生しようとするため、実際には、金属板１を貫通する磁束は、長手方向成分が大きく、斜めの磁束を発生させるための垂直成分は小さくなる。
【００７５】
板厚以上の電流浸透深さでも、金属板１に誘導電流を生じさせ、効率的に加熱を行うためには、好ましくは、重なりを０〜６０％とする。この重なりでより効果的で、非磁性域でもより有効に加熱を行うことができる。更に好ましくは、０％（重ならない）である。
【００７６】
更に、本発明では、金属板の表面側と裏面側の少なくともどちらか一方の導体を、ずれ幅が板幅方向の中央部よりも板幅方向の両端部において小さくなるように、金属板の板幅方向端部（板エッジとも言う）に向かって、板幅方向（板エッジ方向とも言う）に対して斜めに横切る様に配置する。
【００７７】
その理由は、図３の金属板の右側の様に、導体２ａと導体２ｂを金属板の長手方向に直角にして平行にずらして配置すると、発生する誘導電流１０は、図７の様に、金属板内を流れるが、この時、金属板の端部側を流れる誘導電流は、金属板１の中央部を流れる時にはｄ１の幅であったものが、ｄ２へと狭められてしまう。
【００７８】
板端部側の誘導電流の流れる幅が狭まるのは、誘導電流と金属板端部側を流れる誘導コイル一次電流との間のインダクタンスを下げる様に、誘導電流が金属板端部側に寄るため等の理由による。誘導電流の流れる幅が狭まると、端部側の電流密度が板中央部を流れる電流密度より高くなり高温になりやすくなる。
【００７９】
また、加熱時間も、金属板中央部を流れる電流がｄ１の幅に相当する時間加熱されるのに対し、金属板端部は、導体をずらしたことにより、ｄ３の幅に相当する時間加熱されることになり、より金属板端部側の温度が高温になり易くなる。なお、本発明者は、特願２００４−１２０７１３号において、図３の右側部に相当する装置を提案している。
【００８０】
そのため、本発明では、金属板１に発生する誘導電流の電流密度と加熱時間を制御するため、金属板の端部側に向かう導体を金属板端部に向かい斜めに横断する様に配置をする。こうすることにより、金属板１に発生する誘導電流は、金属材料と誘導コイル間のインダクタンスが小さくなる様に誘導コイルを構成する導体に流れる電流と逆向きに発生し金属板端部へ向かう。
【００８１】
表面誘導コイルと裏面誘導コイルが交差又は近接する板端部付近で、表面誘導コイルにより金属材料に発生した誘導電流は、裏面の誘導コイルで発生した誘導電流と合流して金属端部より内側の領域を通った方が、金属材料の外側にある一次コイルを流れる一次電流により金属材料端部に集中して誘導電流を発生させるよりもインダクタンスを小さくすることができるため、金属板中央部を流れる電流の幅のまま金属板端部側へ一次電流を流すと、誘導コイルを構成する導体の幅に近いまま誘導電流が金属板端部側へ流れて、図５の左側の様な電流路になり、図５の右側のように、金属板端部の電流密度が高く加熱時間が長い状態が避けられ、電流密度が金属板端部で高くならないように、かつ、加熱時間も制御し、金属板端部の過過熱を防ぐことが可能となる。
【００８２】
金属板の温度分布を均一にするためには、例えば、図３のように誘導コイルが金属板端部を斜めに横切るのが片側だけの場合でも、図９のように、交互に板端部を横切る誘導コイルのセットを配置すればよい。
【００８３】
金属板端部へ斜めに誘導コイルの導体を配置する方法としては、例えば、図１０の様に、金属板表裏どちらかの導体を斜めに金属板端部を横切らせてもよいし、図１１のように金属板端部を横切る導体が弧を描くような曲線形状でも構わない。また、図１０の変形として、表裏どちらかの導体を斜めに金属板端部を横切らせる際、金属板の片側端部からもう一方の片側端部まで、同じ角度のまま斜めに直線形状で横切らせても構わない（図示せず）。この場合、金属板の温度は、表側と裏側の導体のずれ幅が狭い方からずれ幅の広い方に向かって上昇するように、金属板の幅方向に温度分布をつけることができる。
【００８４】
金属板端部を横切る導体が両端部の場合には、図１２のように配置すると、図９の配置に比べ、誘導コイルの数を減らせるとともに、誘導コイルの設置スペースも節約することができる。
【００８５】
このように金属板両端部を誘導コイルが横切る方法としては、図１３のように、金属板中央部の板長手方向直角に配置する導体がなく、山形の導体を金属板表裏に配置する方法や、図１４のように、金属板の表面側あるいは裏面側のみに配置する方法や、図１５のように、表裏面誘導コイルのコイル片側ずつを斜めに配置してもよい。
【００８６】
また、本説明では、斜めに配置する導体が全て直線を組み合わせた形状としているが、円弧等曲線で形成しても構わない。また、その導体の断面も、矩形に限らず、円形や楕円形でも構わない。
【００８７】
また、表裏の導体は、金属板に対し表裏対称である必要もなく、また、左右等の対称性も必要ない。所望の温度分布になるように誘導コイルを構成する導体を配置すればよい。例えば、図１６の場合には、金属板中央部の電流路（導体の幅）を狭くし電流密度を上げ温度を高くする場合の例であるが、加熱温度分布を自由に調整することが可能である。尚、金属板中央部の電流路の位置は、図１６の位置に限らず、より金属板通過方向の上流側又は下流側（図の上側又は下側）のどちらかにずれていても構わない。
【００８８】
また、図１７に示すように、板両端部へ向かう表裏の導体の少なくとも１端を互いに平行に斜めに配置しても構わない。即ち、金属板の表面側と裏面側の誘導コイルを構成する導体を、それぞれ該金属板へ垂直投影した際の垂直投影像において、表面側と裏面側の該導体が、金属板の長手方向に対して互いにずれるように該導体を配置するとともに、金属板の表面側及び裏面側の該導体の端部が、金属板の板幅方向に対して斜めに横切るように、該導体を配置するものである。
【００８９】
この場合には、前述の実施形態と同様に、重なりを０〜８０％とすることで、板端部側で発生する電流が干渉しないで、誘導電流のパスが形成できる。好ましくは、０〜６０％である。更に好ましくは、０％（重ならない）である。
【００９０】
図１７の左側のように、誘導コイルを金属板端部に向かい斜め平行に配置することにより、金属板に発生する誘導電流は、誘導コイルを構成する導体に流れる一次電流と逆向きに発生しようとすることから、導体２ａ，２ｂを所望の幅で金属板端部側へ持って行き、一次電流を流すようにすると、ほぼ導体２ａ，２ｂの幅のまま、誘導電流が金属板端部側へ流れるようになるが、表裏の誘導コイルで発生した誘導電流は途中でショートパスし、図１８に示すような分布の電流となる。
【００９１】
金属板１の中央部からエッジに向かう電流は、板エッジに集中せず少し広がり、近くを流れる逆向きの電流路（金属板の表側の誘導コイルにより発生した誘導電流に対する、金属板の裏側の誘導コイルにより発生した誘導電流の電流路のこと）に向かうため、板エッジへの電流集中が起き難くなる。
【００９２】
この金属板エッジを流れる電流の幅（電流密度）は、金属板１の表裏に配置した導体２ａ及び２ｂのずらし量により変化し、ずらし量が大きいと電流路の幅は狭くなって電流密度が高くなり、逆に、ずらし量を小さくすると電流路の幅が広がり電流密度が低くなる。
【００９３】
図１７は、片側の金属端側のみの誘導コイルが斜め平行に横切る例を示しているが、この場合も、前述の図９で示したと同様に、最低２セットを用い、図１９のように、互い違いに配置することにより、均一な温度分布で非磁性域の加熱を行うことが可能になる。また、図２０は、金属板両端を誘導コイルが斜め平行に横切る例で、平行にずれた誘導コイルが、そのまま斜めに金属板を横切る場合を示し、図２１は、斜めに横切った誘導コイルが、金属板中央付近で折り返して、長手方向で同じ側斜めに誘導コイルが金属板端部を横切る例を示す。
【００９４】
上述したそれぞれの実施形態に記載の手段は、全て、金属板内部に金属板長手方向における環状の誘導電流を発生させてジュール加熱し、且つ、金属板端部の誘導電流密度を低下させることができる機能を、誘導コイルを用いた金属板の誘導加熱装置に付与するという点で、技術上の意義が共通しており、対応する特別な技術的特徴を持つものである。これにより、金属板が薄い場合でも、金属板が非磁性であっても加熱でき、又、磁性材がキュリー点を超えた温度となっても加熱可能となる。
【００９５】
次に、本発明により、金属板の温度分布を制御する方法について説明する。
【００９６】
本発明による誘導加熱では、前述のように、金属板中央部と端部を流れる誘導電流密度、ならびに、加熱時間を制御することで金属板の温度分布を制御できる。
【００９７】
図２２は、表裏誘導コイルを構成する導体の長手方向のずれ量を大きくし、金属板端部側を流れる誘導電流の電流密度を高め（ずれ量を小さくしたときと比べて）、且つ、加熱時間を長くした場合の例であり、この場合には、金属板端部側の温度を相対的に高温にすることができる。
【００９８】
逆に、図２３は、表裏誘導コイルを構成する導体の長手方向のずれ量を小さくし、金属板の端部から金属板中央より内側で誘導電流を流し、金属板端部側を流れる誘導電流による加熱時間を短くすることにより、金属板中央部より金属板端部側の温度を低くする例を示す。環状電流が金属板端部より極端に中央寄りに流れるようにすると、金属板端部の温度を極端に下げた加熱となる。又は、図２４のように、表裏導体の交差位置が金属板１のエッジより十分内側に寄り、Ｘ字のような交差をする場合にも、中央部の温度が高くエッジ部が低くなるような温度分布を得ることができる。
【００９９】
上記は、主として金属板内の誘導電流密度を、ほぼ同じにして、且つ、加熱時間も同じになるように調整して温度分布を制御する方法を示したが、図２５は、誘導電流密度を制御して温度分布を制御する場合の例を示す。
【０１００】
図２５では、板端部へ向かう導体の幅を板中央部の導体の幅より広げる例を示す。電流路の幅が広がることで電流密度を下げ、加熱時間が長くなるが、発熱量は電流密度の２乗に比例し加熱時間に比例することから、電流密度が低下することによる発熱低下効果が大きく効き、結果として板中央部の温度が高く板端部側が低くなるような加熱温度分布にすることもできる。
【０１０１】
同様に、誘導コイルの導体の断面積を増減することによっても、電流密度の増減が可能であるが、高周波電流の場合導体断面積を大きく増やしても、電流は導体の表面近傍を電流の浸透深さに見合った範囲でしか流れないため、低周波を除き誘導コイルの幅を増減するほどには金属導体に発生させる誘導電流の増減を制御する効果は大きくない。
【０１０２】
このように、板中央部と板端部側の誘導コイルを構成する導体の幅を調整し、電流密度と加熱時間を制御することで加熱温度分布を制御することができる。
【０１０３】
実際の操業では、金属板の幅が様々であり、蛇行なども起こる。又は、前工程の加熱温度分布が均一でなかったりするため、これらに対応し、自在に温度分布を制御する方法について説明する。
【０１０４】
図２６は、本発明による具体的な装置の１例として、誘導コイルを金属板長手方向に自在に動かし、電流路、加熱時間を制御する方法を示す平面図で、図２７は、その正面図である。
【０１０５】
図２６では、金属板表裏面に対向する導体２ａ、２ｂを板長手方向にベース１２上に配置したガイドまたはレール１１などの上に置き、図示はしていないが、エアシリンダや油圧シリンダ、電動シリンダなどの移動機構により、所望の板温分布になるように、表裏の導体２ａ、２ｂを板長手方向に自在に移動させる。移動は、表裏コイルのどちらか一方でもよいし、両方でもよい。
【０１０６】
ベース１２やガイド１１などは、誘導コイルの強磁場のそばにあるため、できるだけ金属は避け、セラミックスや樹脂などの絶縁性の物質で構成する必要がある。やむを得ず金属を使用する場合には、非磁性のステンレスや真鍮、アルミ等を使い、できるだけ誘導コイルから離すとともに、水冷などを行い誘導による加熱の影響をできるだけ避けるようにする。
【０１０７】
表裏面の導体２ａ、２ｂは、水冷ケーブルなどの容易に導体の移動に追従できる導電部材１３とにより、水冷した接続導体９に接続すればよい。図２６は、板幅中央部が広い誘導コイル形状の例を示すが、図２０又は図２１のような誘導コイル形状でも効果がある。
【０１０８】
図２８〜３３は、更に細かく精密に、金属板の温度分布を制御するため方法を示す。図２９は、金属板の幅が狭い場合の本発明による誘導加熱装置の平面図を示し、図２８は、図２９のＡ−Ａ断面を、図３０は、図２９のＢ−Ｂ断面を示す。
【０１０９】
金属板１の表側に金属板端部に対し斜めとなるように、複数の誘導コイル導体ａ−ａ’，ｂ−ｂ’，ｃ−ｃ’，ｄ−ｄ’，ｅ−ｅ’，ｆ−ｆ’，ｇ−ｇ’，ｈ−ｈ’，ｉ−ｉ’とｊ−ｊ’，ｋ−ｋ’，ｌ−ｌ’，ｍ−ｍ’，ｎ−ｎ’，ｏ−ｏ’，ｐ−ｐ’，ｑ−ｑ’，ｒ−ｒ’を、隣り合う誘導コイルを構成する導体間が絶縁されるように隙間をあけて配置し（図示は省略）、接続導体９ａ〜９ｇに選択して接続する。
【０１１０】
接続する方法は、図示はしていないが、電磁接触器や、エアシリンダ、電動シリンダなどの接触手段により、導体ａ−ａ’，ｂ−ｂ’，ｃ−ｃ’，ｄ−ｄ’，ｅ−ｅ’，ｆ−ｆ’，ｇ−ｇ’，ｈ−ｈ’，ｉ−ｉ’を９ｂと９ａに、ｊ−ｊ’，ｋ−ｋ’，ｌ−ｌ’，ｍ−ｍ’，ｎ−ｎ’，ｏ−ｏ’，ｐ−ｐ’，ｑ−ｑ’，ｒ−ｒ’を９ｂと９ｃに密着させて接続する。
【０１１１】
図２９の例では、誘導電源８と接続された導体７から流れたコイル電流は、接続導体９ａ→  導体ｇ−ｇ’，ｈ−ｈ’→  接続導体９ｂ  →  導体ｋ’−ｋ，ｌ’−ｌ  →  接続導体９ｃ  →接続導体９ｄ→  接続導体９ｅに流れ、金属板裏面側の誘導コイル導体Ｋ−Ｋ’，Ｌ−Ｌ’→  接続導体９ｆ  →  導体Ｇ’−Ｇ，Ｈ’−Ｈ  →  接続導体９ｇを経て導体７を通り、電源８へと至る閉回路を形成し、金属板１を誘導加熱することができる。接続導体、導体の材質は銅等の良電気伝導体が好ましい。
【０１１２】
次に、金属板の幅が広くなった場合について説明する。図３２は、金属板の幅が広い場合の本発明による誘導加熱装置の平面図を示し、図３１は、図３２のＡ−Ａ断面を、図３３は、図３２のＢ−Ｂ断面を示す。
【０１１３】
導体は、図２９のケースとは異なり、表面の導体ｇ−ｇ’，ｈ−ｈ’がａ−ａ’，ｂ−ｂ’に、ｋ’−ｋ，ｌ’−ｌがｑ’−ｑ，ｒ’−ｒに選択が変り、裏面の導体Ｋ−Ｋ’，Ｌ−Ｌ’がＱ−Ｑ’，Ｒ−Ｒ’に、Ｇ’−Ｇ，Ｈ’−ＨがＡ’−Ａ，Ｂ’−Ｂに選択が変ることで、板幅が変わっても板温分布は、ほぼ同一にすることができる。
【０１１４】
また、本発明の誘導加熱装置を用いると、蛇行した場合にも、新たに誘導コイル導体を選択し直すことで、所望の温度分布を得ることができる。例えば、金属板の蛇行を誘導加熱装置の前方に設置した蛇行センサーにより、金属板の蛇行量、蛇行速度を把握し、本誘導加熱装置を通過する金属板端部の位置を計算し、最適な誘導コイル導体を選択して通電するようにすればよい。
【０１１５】
上記説明の図では、表裏導体のセットの金属板１の端部を横切る角度が表裏対称に近い状態を示しているが、表裏で導体を対称にする必要はなく、表裏非対称であっても構わない。電流路の形状、加熱時間を考慮した誘導コイルセットにすれば、更に、様々な温度制御も可能となる。
【０１１６】
即ち、選択する導体の数の増減や、表裏導体の金属板端部への角度の変更などで板温分布を制御することもできる。更に、板幅中央部に位置する導体を板短部へ向かう導体と同様に長手方向に複数に分けて配置し、必要に応じて選択することにより、板幅中央部の温度分布も制御することが可能である。
【０１１７】
また、本発明の更に発展した加熱方式として、図２０又は図２１の平面模式図に示す方法も極めて有効である。図２１の誘導加熱装置は、金属板１と面する板幅方向に向かう誘導コイル２を構成する導体２ａ及び２ｂを、金属板１を挟んで金属板の長手方向でずらして配置するとともに、金属板の板エッジに向かって板幅方向に対して同じ向きで斜めに横切るように配置する。
【０１１８】
ここで、図２１では、金属板１の表面側の導体２ａと裏面側の導体２ｂを金属板の長手方向において平行させ、板エッジに対し斜めに横切る様に配置した場合を示している。
【０１１９】
このように、誘導コイルを構成する導体を配置すると、前述のように、金属板に発生する誘導電流は、誘導コイルを構成する導体に流れる一次電流と逆向きに発生しようとすることから、導体２ａ、２ｂを所望の幅で金属板端部側へ持って行き一次電流を流すようにすると、ほぼ導体２ａ、２ｂの幅のまま、誘導電流が金属板端部側へ流れる様になるが、途中でショートパスし金属板１の中央部からエッジに向かう電流は板エッジに集中せず少し広がって、近くを流れる逆向きの電流路（金属板の表側の誘導コイルにより発生した誘導電流に対する、金属板の裏側の誘導コイルにより発生した誘導電流の電流路のこと）に向かうため、板エッジへの電流集中が起き難くなる。
【０１２０】
この金属板エッジを流れる電流の幅（電流密度）は、金属板１の表裏に配置した導体２ａ及び２ｂのずらし量により変化し、ずらし量が大きいと、電流路の幅は狭くなって電流密度が高くなり、逆に、ずらし量を小さくすると電流路の幅が広がり電流密度が低くなる。
【０１２１】
このように、本発明では金属板１の板エッジに向かって導体２ａ及び２ｂを板幅方向に対して、同じ向きで斜めに横切るように配置し、この金属板１の表裏に配置した導体２ａ及び２ｂのずらし量を調整することにより、金属板１の板エッジ付近を流れる電流の幅（電流密度）を制御するとともに、金属板エッジを流れる電流による加熱時間も制御でき、加熱温度分布が制御可能となる。
【０１２２】
また、図２１のように、金属板１の表裏に配置する導体２ａ及び２ｂを平行にずらして配置すると、はじめ金属板１の幅がＩ−Ｉ’であったものが、サイズ替えによりＩＩ−ＩＩ’になっても、導体２ａ及び２ｂが板エッジを横切る関係は変化しないため、温度分布は板幅が変わっても変わらないままにすることができる。又は、金属板１が蛇行などして板エッジの位置が最初に通っていた場所からずれても、同様に、温度分布は変化することがない。したがって、図２１のように、導体２ａ及び２ｂを平行配置させることにより、誘導コイルを移動させたりしなくても板幅変更や蛇行などへ容易に対応できるようになる。
【０１２３】
また、金属板１の表裏に配置する導体２ａ及び２ｂは、図２１の様な両者を同一形状のまま平行にずらす形態である必要は特になく、両者の形状を変えて図３４又は図３５のように、導体２ａ及び２ｂのずれ幅を金属板１のエッジに向かい狭くしたりあるいは広くしたりしてもよい。
【０１２４】
これは、例えば、本加熱装置の前工程でガス輻射による炉により予備加熱した後に金属板１を本加熱装置で誘導加熱する場合等では、ロット変更等で板幅が変わることにより金属板１の温度分布が前工程の炉の特性により、定常的にエッジ近傍の温度が高くなったり又は低くなったりすることがあるため、あらかじめ、前工程の炉による板幅に応じた加熱特性を把握しておき、導体２ａ及び２ｂの金属板の中央部からエッジ部に渡ってずらす量を一定の関係できめておくことにより、板幅が変化しても所定の温度分布にすることができる。
【０１２５】
例えば、金属板エッジ部の温度が、板幅が広くなるにつれ板中央部よりも高くなる関係にある場合、又は、後工程でエッジ温度が高くなることが予測され、あらかじめ誘導加熱でエッジ部の温度を下げる必要がある場合には、誘導加熱後の温度分布を均一にするため、図３４のように、導体２ａ及び２ｂのずらす量を、金属板の中央部側で広く、エッジ部側に近づくにつれて狭くして金属板のエッジ部側の加熱時間を金属板中央部側よりも短くすることにより、エッジ部側の発熱量を抑え、板中央部より板エッジ部の温度が低くなるように誘導加熱することができる。
【０１２６】
逆に、室温から加熱する場合などのように、周りが断熱されず金属板１の方が周囲の壁などより高くなる場合には、板エッジ部の温度が低下し易いことから、エッジ部の温度が高くなるように、例えば、図３５に示すように、導体２ａ及び２ｂのずらす量を、金属板の中央部側で狭く、エッジ部側に近づくにつれて広くして、金属板のエッジ部側の加熱時間を板中央側より長くすることにより、金属板のエッジ側の温度が高くなるように誘導加熱することもできる。
【０１２７】
このように、誘導加熱装置自体を動かさずに板幅、目的に応じて加熱温度分布を自動的に変化させて加熱することが可能になる。
【０１２８】
また、誘導コイルの導体２ａ及び２ｂのずらす量及び導体の幅等については、電磁場解析等により、おおよそ設計が可能であるが、前工程の加熱特性が微妙に金属板のサイズや操業条件により変化することにより、設計条件から外れたり、又は、意図的に加熱温度分布を変化させたい場合には、導体２ａ及び２ｂを固定していると対応が難しくなることもある。
【０１２９】
そのような場合には、前述の図２６に示したような導体コイルの移動機構を設け、自在にずらし量を制御し温度分布を制御することも可能である。
【０１３０】
このような導体の移動機構を設けると、前工程での加熱特性を把握していなくても、本発明の誘導加熱装置に入る前に金属板１の温度分布を計測し、その計測結果に合わせ誘導コイルの導体２ａ及び２ｂのずらし量を制御することで、加熱温度分布制御をすることが可能になる。
【０１３１】
更に、本発明では、誘導コイルの導体２ａ及び２ｂのずらす量を変化させるだけでなく、図３６に示すように、誘導コイルの導体２ａ及び２ｂの幅自体を変化させることにより、発熱分布を制御することができる。即ち、金属体１の発熱温度は、誘導電流の２乗に比例し、加熱時間の１乗に比例することから、導体の金属板に垂直投影する面積を変化させると、金属体１に誘導される電流の密度が大きく変化するとともに、導体のずらし量で加熱時間を制御することができることから、より効果的に加熱温度分布の制御が可能になる。
【０１３２】
ただし、これらの加熱装置でも、前述のように、金属板１の表裏に配置した導体２ａ及び２ｂのずらし量をあまり狭くすると非磁性域又は非磁性材の場合や、板厚が薄い場合には、ＬＦ加熱と同様に、金属板１の表裏を流れる誘導電流が干渉しあい電流が流れなくなるため、電流浸透深さが板厚に比べ深くなる場合には、表裏コイルのずらし量は、表裏コイルを金属板へ垂直投影した際に、表面側と裏面側の導体における垂直投影像の重なりが、面積で８０％を超えて金属板の進行方向で互いに重ならないような位置に配置するのが望ましい。
【０１３３】
即ち、図２１の表裏誘導コイルの中心線に直角なＡ−Ａ断面を見た場合を例に重なり割合について説明すると、重なり割合とは、図３７に示すＳａ／Ｓに１００を乗じた値であり（図２１そのものにおいては、Ｓａ／Ｓ×１００は０％である）、これを０〜８０％とするとよい。より好ましくは、０〜６０％である。更に好ましくは、０％（重ならない）である。
【０１３４】
また、本説明では、斜めに配置する導体が全て直線を組み合わせた形状としているが、円弧等の曲線、関数で決められる形状で形成しても構わない。また、その導体の断面も、矩形に限らず、円形や楕円形でも構わない。
【０１３５】
本発明による誘導加熱装置は、上述したように、電流の浸透深さの問題から、特に、従来の誘導コイルによる誘導加熱では不可能な非磁性域、非磁性材での加熱の実現、板幅の温度分布制御が可能となる。
【０１３６】
したがって、板厚が薄くても、また、厚くても、加熱温度域の制限がなく、幅も狭い幅から広い幅まで対応が可能であるため、従来のように、被加熱材のサイズに合わせ複数の誘導コイルセットを持つ必要もなくなる。
【０１３７】
本発明は、上述したように従来の誘導式誘導加熱では不可能であった非磁性域の誘導加熱を可能とする優れた金属板の誘導加熱装置・誘導加熱方法であるが、金属板表裏面に面する誘導コイル２を、金属板進行方向でずらして配置しなければならないため、金属板の進行方向にスペースを広くとらなければならない。
【０１３８】
そこで、鋼板などの磁性材を常温から加熱する場合などには、図３８のように、磁性域をスペースが狭くてもよい従来のＬＦ式誘導加熱で加熱し、その後、本発明の誘導加熱装置で非磁性域を加熱すると、全体としてスペースの少ない加熱設備が実現する。
【０１３９】
更に効果的な方法は、図３９のように、従来のＬＦ式誘導加熱装置と本加熱装置とを直列に接続方法がよい。２つの誘導コイルを別電源で使用する場合には、両方のコイルによる干渉が問題になり、両コイルが干渉しない位置まで離さなければならない場合があり、その場合、干渉を避けるためのスペースが必要となる時がある。
【０１４０】
そこで、本発明では、この問題を解決するため、図３９に示すような従来のＬＦ式誘導加熱装置１５の後に、前述の本発明による誘導加熱装置１４を直列に接続し、一体の誘導加熱装置とする。ＬＦ式誘導加熱装置と本発明の誘導加熱装置を直列に接続することにより、電源からは１つの誘導コイルとみなせるため、誘導コイル間の干渉が生じず安定して通電ができ、干渉防止のための余計なスペースが不要となる。
【０１４１】
特に、磁性域では容易に電力が金属板に安定して投入できるため、ＬＦ式の誘導コイルには大きな電流が流れる。その電流は、直列に接続しているずらした誘導コイル側にも流れるため、両誘導コイルのマッチングを工夫しなくても大きな電流を非磁性域の誘導コイルにも流すことができ、効率的かつ安定した非磁性域の加熱ができる。
【０１４２】
したがって、本発明の誘導加熱装置を用いれば、室温から、キュリー点を越える温度までを、１台の誘導加熱電源、誘導コイルセットで加熱することが可能となり、コンパクトで、加熱速度、温度分布を自在に制御できる加熱装置が実現できる。
【０１４３】
また、ガス燃焼若しくは電気ヒーターによる輻射炉、又は、ガス直火炎加熱炉の、前工程、後工程の少なくともいずれかに、本発明の誘導加熱装置を設置することもできる。
【０１４４】
例えば、一般の焼鈍炉（輻射炉の１種）の途中又は出側に誘導加熱装置を設けるケースを以下に示す。ここで、輻射炉とは、被加熱材を輻射により温度を上昇させるいわゆる予熱炉、加熱炉や、被加熱材の温度を均一化する均熱炉を指す。また、ガス直火炎加熱炉は直接火炎を被加熱材に当て加熱する炉や、還元炎を当て被加熱材の表面にあるスケールを還元しながら加熱する炉などを指す。
【０１４５】
鋼板の連続熱処理炉（連続熱処理装置、あるいは、連続焼鈍炉とも言う）などでは、加熱の前後、又は途中、冷却帯と過時効帯との間で再加熱をするための誘導加熱装置を設ける場合があるが、ＬＦ式誘導加熱では磁性域の加熱しかできない。
【０１４６】
それに対し、本発明の誘導加熱装置では、薄い金属板の磁性、非磁性を問わずに加熱ができることから、加熱効率が急激に低下するキュリー点近傍の温度域から、全くパワーが入らなくなるキュリー点を超えた温度域でも加熱可能であるため、従来の間接加熱方式となる輻射炉や、直接加熱となる火炎燃焼炉などのガス加熱を用いた予熱炉や加熱炉では、金属板の板厚が厚くなり通板速度を遅くしなければ所定の温度に加熱できない場合でも、通板速度を落とすことなく所定の温度に加熱することが可能であるだけでなく、通板速度を上げ生産量を上げたい場合でも、電源に余裕があれば対応が可能になるなど、操業の自由度が飛躍的に高くなる。
【０１４７】
また、輻射加熱では被加熱材の温度が上昇するにつれ炉内からの放射伝熱量が低下し、加熱効率が低下していくのに対し、本発明の誘導加熱装置では、強制的に電力を直接被加熱材に投入できるため、効率良く加熱することができるという利点もある。
【０１４８】
ただし、電気による加熱は、ガスによる加熱に比べ発熱量あたりのエネルギー単価が高いため、全部を電気で加熱するとエネルギーコストが高くなり不利である。そのため、加熱効率が高くエネルギー単価の安い低温側は、従来のガスによる間接加熱を使い、輻射では加熱効率の低下する高温側は確実にキュリー点以上の非磁性域まで昇温ができる本発明による誘導加熱装置を使うと熱処理コストも少なくて済む。
【０１４９】
従来の連続熱処理装置では炉の熱慣性が大きく、金属板のサイズ変更がある場合には、ライン速度変更、炉温変更を行い安定するまで時間がかかり、その間の被加熱材は温度が安定していないため品質的にも問題が生じ、通常繋ぎ材と呼ばれる降格低級の材料を目的とする材料の間に入れることを余儀なくされているが、本発明の装置を用いれば、熱慣性はほとんど生じないため、サイズ変更にも迅速対応でき、生産スケジュールの弾力性を高め、繋ぎ材を使う必要もなくなる。
【０１５０】
本発明の誘導加熱装置の設置場所としては、図４０の（ａ）のように、加熱炉１６ａと加熱炉１６ｂとの間に設置してもよいし、最も効果的なのは、図４０の（ｂ）のように、加熱炉１６の後に設置するのがよい。設置形態は、図では横パスで説明したが縦パスでも斜めでも特にこだわるものではない。また、本加熱装置は、炉の中に断熱と雰囲気シールの機構を備えたチャンバーとともに炉と一体化して納めてもよいし、炉と炉の間に独立して部屋を設けて設置してもよい。
【０１５１】
上記説明は、走行する金属板を想定して話を進めてきたが、厚板材のような移動速度の遅い静止状態に近い加熱にも適用が可能である。厚板材の場合には、通常長さを一定にした切板を用いるが、このような場合には、誘導コイル内を往復させることにより、加熱することが可能である。
【０１５２】
以上説明したように、本加熱方式は、磁性域の加熱はもちろん、従来の誘導コイルの誘導加熱方式では不可能であった非磁性域の加熱を、単純な構成のコイルで可能とする。使用する加熱電源周波数も、扱いやすく安価な比較的低い周波数を使うことができるとともに、高周波数加熱で問題となるコイル電圧の高電圧化なども避けることが容易であり、ハード上の制約が大幅に緩和される。
【０１５３】
本発明による誘導加熱装置及び誘導加熱方法は、サイズ、品種を選ばず１台の装置で広範囲に対応が可能で、且つ、加熱温度分布も、これまでの誘導加熱装置で問題となっていた板端部の過加熱を防止し、板幅全体にわたる自在な制御が可能な従来にはない特徴を持つ優れた金属板の加熱装置及び加熱方法である。
【実施例】
【０１５４】
（実施例１）
本発明の効果を確認するため、０．２ｍｍ厚×６００ｍｍ幅の非磁性鋼であるＳＵＳ３０４を用い通板しながら加熱する実験を行った。
【０１５５】
使用した電源は、２５ＫＨｚ、１００ＫＷの高周波電源で、コイルに合わせコンデンサの容量を増減し、整合をとるようにした。使用した誘導コイルは、幅１００ｍｍ、板厚５ｍｍの銅板に、外形１０ｍｍ、内径８ｍｍの水冷銅パイプを鋼板と反対側（外側）にロウ付けした水冷銅板製で、１Ｔの誘導コイルとして実験を行った。本実施例において導体は、銅板と銅パイプの両方を指す（本ケースでは銅パイプにも電流が流れるため）。被加熱材と誘導コイルとのギャップは、５０ｍｍとした。
【０１５６】
また、実験では鋼板の表裏面に鋼板進行方向に直角に２００ｍｍずらし、両端エッジに水冷銅版製のコイルを向かわせ、表裏コイルを構成する導体の重なる位置を変え、板中央の温度と板エッジとの温度差（エッジ温度−中央部温度）で評価を行った。温度は、誘導コイル出口で２次元の赤外線温度計で測定した。
【０１５７】
導体の角度調節は、図４１Ａ〜図４１Ｄに点線で示す板進行方向に平行にずらして配置したベーク板と斜め方向に配置する水冷銅板に所定の角度になるように穴をあけ、ボルトで電気絶縁性の合成樹脂板（以下、ベーク板と呼ぶ）との間に入れた連結用銅板に接合することで実現した。
【０１５８】
実施例としての実験は、図４１Ａに示す表裏コイルが板エッジと５°での角度をなす本発明による実施例Ａ、図４１Ｂに示す板エッジと１０°で交わる実施例Ｂ、図４１Ｃに示す板エッジと１５°で交わる実施例Ｃ、及び、図４１にない（表側の導体の真下に裏側の導体を配置）ＬＦ式誘導加熱による比較例Ｅを比較した。通板速度は、２ｍ／ｍｉｎである。
【０１５９】
結果を表１に示す。評価は、鋼板中央部の温度が５００℃まで加熱ができた場合◎、できない場合を×とし、温度偏差は、鋼板エッジ部温度と中央部温度の差とした。
【０１６０】
【表１】
0004786365.tif 000002
【０１６１】
今回の実験では、従来のＬＦ式誘導加熱装置による実験Ｅではまったく加熱ができなかったのに対し、本発明による実施例Ａ〜Ｄは、全て加熱が可能であった。鋼板端部を流れる電流を表裏導体の位置の調整をすることにより、実施例Ａのように、エッジ側を高くすることもできるし、実施例Ｃのように、ほぼ均一にすることもでき、また、実施例Ｄのように、エッジ側を低くすることもできることが確認できた。
【０１６２】
（実施例２）
本発明による、分割した誘導コイル選択による温度制御の効果を確認する実験を行った。使用した試験材は、板厚０．６ｍｍ、板幅６００ｍｍの冷延鋼板でライン速度を２ｍ／ｍｉｎにして加熱を行った。電源は、周波数５０ＫＨｚ、２００ｋｗのものを用い、被加熱材と誘導コイルとのギャップは、５０ｍｍとした。実験は、図４２の平面模式図に示すような配置をしており（一次電源は図示せず）、鋼板表面に、幅５０ｍｍ、板厚１０ｍｍの水冷したコイル導体Ａ〜Ｊを配置（図４３）し、鋼板裏面にも、幅５０ｍｍ、板厚１０ｍｍの水冷したコイル導体Ｋ〜Ｔを配置（図４４）した。
【０１６３】
鋼板表面側のコイル導体Ａ〜Ｊは、鋼板進行方向に横渡した幅５０ｍｍ、板厚１０ｍｍの水冷したコイル導体Ｕ、Ｖ、Ｗ、Ｘ、Ｙ、Ｚ、Ａ’、Ｂ’、Ｃ’と接続し、鋼板裏面側のコイル導体Ｋ〜Ｔは、鋼板進行方向に横渡した幅５０ｍｍ、板厚１０ｍｍの水冷したコイル導体Ｄ’〜Ｌ’と接続した。
【０１６４】
接続は、図４５の例に示すように、誘導コイルを構成する導体として使用する場合には、横渡のコイル導体と端部方向導体とが導通するように、銅板１８をコイル導体間に入れてボルトで締め付けて接続し、誘導コイルを構成する導体として使用しない場合には、横渡のコイル導体と端部方向導体とが導通しないように、ベーク板１９をコイル導体間に入れ絶縁ボルトで締め付けた。
【０１６５】
コイル導体の選択の仕方による、温度分布の変化を、誘導コイル出側に設置した赤外線温度計により測定した。表２に、使用コイルの組み合わせと、７５０℃以上の非磁性域加熱の可否、温度偏差についての結果を示す。温度偏差は、温度偏差が出やすい板エッジから５０ｍｍの範囲の温度とコイル中央部との温度差の最大を示し、＋がエッジ側の温度が高く、−は中央部の温度が高いことを示す。
【０１６６】
実施例Ｆは、使用する表裏面のコイル導体が端部方向、中央部ともに２本を使用し、板幅の内側で表裏コイルが交差する場合の例を、実施例Ｇは、同じく使用する表裏面のコイル導体が端部方向、中央部ともに２本を使用し、板端部をまたいで表裏コイルが交差する場合の例を、実施例Ｈは、同じく使用する表裏面のコイル導体が端部方向、中央部ともに２本を使用し、板端部の外側で表裏コイルが交差する場合の例を示す。
【０１６７】
温度偏差は、使用コイル導体の数が同じであることから、鋼板に発生する誘導電流密度がほぼコイル導体直下では同じように流れていると考えられるが、板端部の内側で表裏導体コイルが交差する実験Ｆの温度偏差が小さく、板端部の外側で表裏導体コイルが交差する実施例Ｇの温度偏差が大きくなる。
【０１６８】
これは、コイル導体の数（幅）を同じにしてコイル導体を流れる電流密度を同じにしても、移動する鋼板では、移動方向の加熱時間が異なるため加熱時間が長くなるに従い、実施例Ｆ，Ｇ，Ｈの順で鋼板端部の温度が高くなったと考えられる。次に、端部方向へのコイル導体の数を２本から３本に増やし、中央部のコイル導体の数が２本の場合が実施例Ｉ、３本に増やした場合が実施例Ｊである。
【０１６９】
その結果は、鋼板端部側の温度分布は両者とも、ほとんど変化ないが、中央部のコイル導体２本の実施例Ｉに比べ、３本の実施例Ｊの場合には、鋼板中央部の温度が低く、結果として温度偏差が少し拡大した。更に、中央部のコイル導体を３本にし、端部側へのコイル導体を１本にし鋼板端部の外で交差するようにした実施例Ｋは、端部側へのコイル電流密度が高くなり、温度偏差は、より鋼板端部が高くなる温度分布となった。
【０１７０】
表裏面のコイル導体を端部方向、中央部ともに１本を使用し、鋼板端部の内側で表裏コイルを交差させた実施例Ｌは、鋼板エッジの温度が鋼板中央部温度より低くなった。
【０１７１】
このように、使用するコイル導体の数（導体の幅）と位置を選択することにより、様々な温度分布が実現できることを確認した。また、実施例Ｆ〜Ｌすべて７５０℃以上の非磁性域の加熱が可能であった。
【０１７２】
【表２】
0004786365.tif 000003
【０１７３】
（実施例３）
端部側へのコイル導体を図２１に示すような、同方向へ向けたときの実施例を、表３に示す。用いた誘導コイル、電源は、実施例１で使用したものと同一で、０．４ｍｍ厚のＳＵＳ３０４鋼板８００ｍｍと６００ｍｍを２ｍ／ｍｉｎで加熱した。被加熱材と誘導コイルとのギャップは、５０ｍｍとした。
【０１７４】
実験は、中央部の表裏コイルのずらし量を１００ｍｍ一定で、板幅８００ｍｍの鋼板使用時に鋼板端部を横切る時の表裏コイルの幅をエッジ部ずらし量とし、このエッジ部ずらし量が７０ｍｍの場合を実施例Ｍ（図３４参照）、１００ｍｍの場合（図２１参照、平行配置）を実施例Ｎ、１５０ｍｍの場合を実施例Ｏ（図３５参照）とした。
【０１７５】
温度偏差は、板エッジから５０ｍｍの範囲の温度とコイル中央部との温度差の最大を示し、＋がエッジ側の温度が高く、−は中央部の温度が高いことを示す。実施例Ｍの場合、中央部のずらし量に比べ鋼板端部のずらし量が狭い場合には、鋼板中央部より鋼板端部側の方の温度が低くでき、板幅が８００ｍｍの場合に比べ板幅が６００ｍｍの時には、エッジずらし量が少し広がり端部側の加熱時間が長くなるため、少し鋼板端部側の温度が上昇する。端部側へ向かう表裏コイルが平行となる実施例Ｎは、板幅８００ｍｍの場合にも、６００ｍｍの場合にも、変化がないことが確認できた。
【０１７６】
一方、端部側へ向かう誘導コイルが鋼板端部側で開く実施例Ｏの場合、板幅が狭い方が鋼板端部のずらし量が狭くなるため、板幅が広い場合よりも、鋼板端部側の温度が高くなる。
【０１７７】
【表３】
0004786365.tif 000004
【０１７８】
（実施例４）
上記実施例３で使用した電源、鋼板を用い、図３６に示すようなコイル形状で実験を行った。被加熱材と誘導コイルとのギャップは、５０ｍｍとした。コイル導体は、板端部に向けて中央部から端部に向かってテーパーを付けた導体で、表面側の導体の形状と裏面側の導体の形状を同形状にし、中央部、端部ともに表面側の導体と裏面側の導体を平行にして、板幅８００ｍｍの位置での導体の幅を変えた３種類のコイル導体を用意した。
【０１７９】
エッジ部導体幅を６０ｍｍと狭くし、電流密度を上げるとともに、加熱時間が長くなる実施例Ｐの場合（エッジ部の導体幅が狭くなり、表面導体と裏面導体の距離が離れるため、端部側を流れる電流による加熱時間が長くなる。）、鋼板端部の温度が上昇するのに対し、導体幅が変化しない実施例Ｑの場合には鋼板端部の昇温量が低下する。
【０１８０】
更に、コイル導体の幅が広くなり電流密度が低下するとともに加熱時間も短い（上記と逆に導体間距離が短くなるため加熱時間は短くなる。）実施例Ｒの場合には、鋼板中央部の温度が鋼板端部よりも高い温度分布となる。
【０１８１】
【表４】
0004786365.tif 000005
【０１８２】
（実施例５）
本発明の実施例として、ＬＦ式誘導加熱コイルと本発明による誘導加熱装置を直列接続した時の効果を確認する実験を行った。実験は、磁性材である０．２３ｍｍ厚８００ｍｍ幅の普通鋼冷延板を用い、常温からの加熱を行った。
【０１８３】
実施例Ｓは、実施例Ｃで用いた誘導コイルに比較例ＥのＬＦ式誘導加熱コイルを直列に接続した場合の発明による実験例を、比較例Ｔは、比較例として幅２００ｍｍの１ＴのＬＦ式誘導加熱コイルのみを用いた場合実験例で、これらの結果を、表５に示す。
【０１８４】
【表５】
0004786365.tif 000006
【０１８５】
従来のＬＦ式誘導加熱装置で加熱した比較例Ｔの場合には、７３０℃までしか加熱ができず、非磁性域までは加熱ができなかった。一方、本発明による加熱方式を用いた実施例Ｓは、非磁性域である１２００℃まで加熱ができ、加熱効率もＬＦ式で加熱するよりも高いことを確認した。加熱効率は、電源の投入電力に対する鋼板の温度上昇に正味使われた電力割合である。
【図面の簡単な説明】
【０１８６】
【図１】従来の誘導式誘導加熱を示す模式図である。
【図２】従来の誘導式誘導加熱の金属薄板の断面に流れる誘導電流を説明する断面模式図である。
【図３】本発明の誘導加熱装置の平面模式図である。
【図４】本発明の誘導加熱装置及び方法を説明する断面模式図である。
【図５】本発明の誘導加熱方法により金属板に発生する誘導電流を説明する平面模式図である。
【図６】本発明の誘導加熱方法により金属板に発生する誘導電流を説明する側面断面模式図である。
【図７】図３のコイル配置の右側誘導コイルにより金属板に誘導電流が流れる様子を示す平面模式図、及び、そのＡ−Ａ断面図である。
【図８】表コイルと裏コイルの金属板への垂直投影面積とその重なり割合を説明する模式図である。（ａ）は、重なり部がない場合を示し、（ｂ）は重なり部がある場合を示す。
【図９】本発明による誘導加熱装置を組み合わせた装置例を示す平面模式図である。
【図１０】本発明の誘導加熱装置例で、表面の誘導コイルのみが板片端部に斜めに向かう例を示す図である。
【図１１】本発明の誘導加熱装置例で、板片端部に曲線形の誘導コイルが斜めに横切る例を示す図である。
【図１２】本発明による中央部が広くずれて、板両端側を誘導コイルが斜めに横切る誘導加熱装置の装置例を示す平面模式図である。
【図１３】本発明の誘導加熱装置例で、板中央部の並行配置が無い場合の例を示す図である。
【図１４】本発明の誘導加熱装置例で、表面の誘導コイルのみが板端部に斜めに向かう例を示す図である。
【図１５】本発明の誘導加熱装置例で、表裏面の誘導コイルの片側ずつが板端部に斜めに向かう例を示す図である。
【図１６】本発明の誘導加熱装置例で、表面の誘導コイルの中央部の導体の幅が狭まっている例を示す図である。
【図１７】本発明の誘導加熱装置例で、表裏面の誘導コイルが板片端部側のみを斜め平行に横切る例を示す平面模式図である。
【図１８】図１７の左側誘導コイルにより金属板に発生する誘導電流を説明する図である。
【図１９】本発明の誘導加熱装置例で、図１７の誘導コイルセットを組み合わせた装置例を示す平面模式図である。
【図２０】本発明の誘導加熱装置例で、表裏面の誘導コイルが板両端部を斜め平行に横切る例を示す平面模式図である。
【図２１】本発明の誘導加熱装置例で、表裏面の誘導コイルが板両端部を長手方向で同じ方向に斜め平行に横切る例を示す平面模式図である。
【図２２】本発明の誘導加熱装置例で、表裏面の誘導コイルの板温分布の制御例を説明する図である。
【図２３】本発明の誘導加熱装置例で、表裏面の誘導コイルの板温分布の制御例を説明する図である。
【図２４】本発明の誘導加熱装置例で、表裏面の誘導コイルの板温分布の制御例を説明する図である。
【図２５】本発明の誘導加熱装置例で、表裏面の誘導コイルの板温分布の制御例を説明する図である。
【図２６】表裏面の誘導コイルに移動機構を設けた本発明の誘導加熱装置例である。
【図２７】図２６に示す本発明の誘導加熱装置例を説明する断面図の一部である。
【図２８】図２９に示す本発明の誘導加熱装置例のＡ−Ａ断面を示す断面図である。
【図２９】本発明の誘導加熱装置例で、金属板の幅が狭い場合の誘導コイルの選択を説明する平面模式図である。
【図３０】図２９に示す本発明の誘導加熱装置例のＢ−Ｂ断面を示す断面図である。
【図３１】図３２に示す本発明の誘導加熱装置例のＡ−Ａ断面を示す断面図である。
【図３２】本発明の誘導加熱装置例で、金属板の幅が広い場合の誘導コイルの選択を説明する平面模式図である。
【図３３】図３２に示す本発明の誘導加熱装置例のＢ−Ｂ断面を示す断面図である。
【図３４】端部側へ向かう表裏誘導コイルを中央部導体コイルのずらし量より狭く配置した本発明による誘導加熱装置例の平面模式図である。
【図３５】端部側へ向かう表裏誘導コイルを中央部導体コイルのずらし量より広く配置した本発明による誘導加熱装置例の平面模式図である。
【図３６】端部側へ向かう表裏誘導コイルの幅を中央部導体コイルの幅より狭くした本発明による誘導加熱装置例の平面模式図である。
【図３７】図２１の誘導加熱装置を例として、板エッジに向かう導体コイルの中心に直角なＡ−Ａ断面の重なり割合を説明する図である。
【図３８】ＬＦ式誘導加熱装置の後に本発明の誘導加熱装置を配置する構成を示す本発明による誘導加熱装置例の側面模式図である。
【図３９】ＬＦ式誘導加熱装置の後に本発明の誘導加熱装置を直列接続した配置例を説明する側面模式図である。
【図４０】加熱炉に本発明の誘導加熱装置を配置した発明例を説明する模式図である。（ａ）は、従来の加熱炉の途中に、本発明の誘導加熱装置を配置した発明例を示し、（ｂ）は、従来の加熱炉の後に、本発明の誘導加熱装置を配置した発明例を示す。
【図４１Ａ】実施例１において表裏コイル板と板エッジが５°をなす例を説明する模式図である。
【図４１Ｂ】実施例１において表裏コイル板と板エッジが１０°をなす例を説明する模式図である。
【図４１Ｃ】実施例１において表裏コイル板と板エッジが１５°をなす例を説明する模式図である。
【図４１Ｄ】実施例１において表裏コイル板と板エッジが２０°をなす例を説明する模式図である。
【図４２】実施例２を説明する模式図である。
【図４３】コイル導体Ａ〜Ｊを配置した実施例２を説明する模式図である。
【図４４】コイル導体Ｋ〜Ｔを配置した実施例２を説明する模式図である。
【図４５】銅板とベーク板を配置した実施例２を説明する模式図である。
【符号の説明】
【０１８７】
１    金属板
２    誘導コイル
２ａ、２ｂ    導体
３    高周波電源
４    磁束
５    一次電流
６ａ    誘導電流
６ｂ    誘導電流の向き
７    導電部材
８    電源
９、９ａ〜９ｇ    接続導体
１０    誘導電流のパス
１１    ガイドあるいはレール
１２    ベース
１３    導電部材
１４    本発明の誘導加熱装置
１５    ＬＦ式誘導加熱装置
１６，１６ａ，１６ｂ    加熱炉
１７    次処理帯
１８    導電部材接続用端子
Ｉ、Ｉ’    幅が狭い金属板の幅を示す
ＩＩ、ＩＩ’    幅が広い金属板の幅を示す
【図１】
0004786365.tif 000007
【図２】
0004786365.tif 000008
【図３】
0004786365.tif 000009
【図４】
0004786365.tif 000010
【図５】
0004786365.tif 000011
【図６】
0004786365.tif 000012
【図７】
0004786365.tif 000013
【図８】
0004786365.tif 000014
【図９】
0004786365.tif 000015
【図１０】
0004786365.tif 000016
【図１１】
0004786365.tif 000017
【図１２】
0004786365.tif 000018
【図１３】
0004786365.tif 000019
【図１４】
0004786365.tif 000020
【図１５】
0004786365.tif 000021
【図１６】
0004786365.tif 000022
【図１７】
0004786365.tif 000023
【図１８】
0004786365.tif 000024
【図１９】
0004786365.tif 000025
【図２０】
0004786365.tif 000026
【図２１】
0004786365.tif 000027
【図２２】
0004786365.tif 000028
【図２３】
0004786365.tif 000029
【図２４】
0004786365.tif 000030
【図２５】
0004786365.tif 000031
【図２６】
0004786365.tif 000032
【図２７】
0004786365.tif 000033
【図２８】
0004786365.tif 000034
【図２９】
0004786365.tif 000035
【図３０】
0004786365.tif 000036
【図３１】
0004786365.tif 000037
【図３２】
0004786365.tif 000038
【図３３】
0004786365.tif 000039
【図３４】
0004786365.tif 000040
【図３５】
0004786365.tif 000041
【図３６】
0004786365.tif 000042
【図３７】
0004786365.tif 000043
【図３８】
0004786365.tif 000044
【図３９】
0004786365.tif 000045
【図４０】
0004786365.tif 000046
【図４１Ａ】
0004786365.tif 000047
【図４１Ｂ】
0004786365.tif 000048
【図４１Ｃ】
0004786365.tif 000049
【図４１Ｄ】
0004786365.tif 000050
【図４２】
0004786365.tif 000051
【図４３】
0004786365.tif 000052
【図４４】
0004786365.tif 000053
【図４５】
0004786365.tif 000054